(57)【特許請求の範囲】
【請求項１】
画像データにエッジ強調処理を施す画像処理装置であって、
エッジ画素の各々に対して濃度強調量を演算する強調量演算手段と、
各エッジ画素に対する濃度強調量を、当該エッジ画素を含み所定範囲の周辺エッジ画素に対する濃度強調量の内の最大の濃度強調量に置換する強調量増加手段と、
各エッジ画素の濃度を、当該エッジ画素を含み所定範囲の周辺画素の濃度の内の最大の濃度に置換する濃度増量手段と、
各エッジ画素ごとに、前記増量後の濃度に前記増加後の濃度強調量を加えて、強調後のエッジ画素の濃度とする加算手段と、
を備えたことを特徴とする画像処理装置。
【請求項２】
請求項１記載の画像処理装置を有し、当該画像処理装置によってエッジ強調処理の施された画像データに基づいて、画像を形成することを特徴とする画像形成装置。
【発明の詳細な説明】
【０００１】
【発明の属する技術分野】
本発明は、画像処理装置および画像形成装置に関し、特に、エッジ強調処理技術に関する。
【０００２】
【従来の技術】
例えば、デジタルカラー複写機などの画像形成装置においては、原稿を読み取って得られる元画像におけるエッジ部（例えば、文字画像と背景画像との境界部分）の濃度をより高めるといったいわゆる強調処理を実行した上で、記録シートに画像形成を行うといったことが実施されている。この強調処理は、画像形成装置内に設けられた画像処理装置で行われるのであるが、エッジ部分と背景との濃度差を拡大することにより、より境界を鮮明にし、例えば、文字などを見やすくするためのものである。
【０００３】
従来の画像処理装置では、エッジ部であると判断された各画素において、処理対象画素を注目画素とした場合に、注目画素の、一定範囲の周辺画素との関係で定まる強調量分、当該注目画素を強調する処理が行われている（以下、「第１の従来技術」と言う。）。これにより、境界はより鮮明になるものの、元画像の各画素に単に強調量を加えるといった処理であるため、元画像のエッジ部に濃度ムラがあった場合には、当該濃度ムラが強調後にも残ってしまうどころか、かえって濃度ムラが目立ってしまうといった問題が生じている。
【０００４】
これに対処するため、エッジ部における各画素の濃度を、周辺画素との濃度差が少なくなるように増量させた上で、前記強調量を加えるといった技術が考案されている（以下、「第２の従来技術」と言う。）。
【０００５】
【発明が解決しようとする課題】
しかしながら、第２の従来技術では、第１の従来技術よりも改善されるものの、元画像のエッジ部に濃度ムラがあった場合には、まだ、強調処理後のエッジ部に濃度ムラが存在してしまっている。
本発明は、上記した課題に鑑み、濃度ムラをさらに低減させてエッジ強調処理を行うことができる画像処理装置および当該画像処理装置を用いた画像形成装置を提供することを目的とする。
【０００６】
【課題を解決するための手段】
上記の目的を達成するため、本発明に係る画像処理装置は、画像データにエッジ強調処理を施す画像処理装置であって、エッジ画素の各々に対して濃度強調量を演算する強調量演算手段と、各エッジ画素に対する濃度強調量を、当該エッジ画素を含み所定範囲の周辺エッジ画素に対する濃度強調量の内の最大の濃度強調量に置換する強調量増加手段と、各エッジ画素の濃度を、当該エッジ画素を含み所定範囲の周辺画素の濃度の内の最大の濃度に置換する濃度増量手段と、各エッジ画素ごとに、前記増量後の濃度に前記増加後の濃度強調量を加えて、強調後のエッジ画素の濃度とする加算手段とを備えたことを特徴とする。
【０００７】
上記の目的を達成するため、本発明に係る画像形成装置は、上記画像処理装置を有し、当該画像処理装置によってエッジ強調処理の施された画像データに基づいて、画像を形成することを特徴とする画像形成装置。
【０００８】
【発明の実施の形態】
以下、本発明の実施の形態を、図面を参照しながら説明する。
図１は、実施の形態に係るデジタル式のカラー複写機（以下、単に「複写機」と言う。）１全体の概略構成を示す図である。
本図に示すように、当該複写機１は、大きくわけて、原稿画像を読み取るイメージリーダ部１００と読み取った画像を記録シート上にプリントして再現するプリンタ部２００とから構成される。
【０００９】
イメージリーダ部１００は自動原稿搬送装置１０１を有しており、当該自動原稿搬送装置１０１の原稿トレイ１０２にセットされた原稿は１枚ずつ原稿ガラス台１０３へと搬送される。原稿ガラス台１０３へ搬送された原稿は、図中の矢印Ａで示す副走査方向に走行するスキャナ１０４の備える露光ランプ１０５によって照射される。当該原稿面からの反射光は、同スキャナ１０４内のミラー１０６、並びにスキャナ１０４と同じ向きに半分の速度で移動するミラーボックス１０７の内部に設けられたミラー１０８及びミラー１０９によって、図示するように光路変更され、レンズ１１０によって３ラインの縮小型フルカラーＣＣＤセンサ（以下、単に「ＣＣＤセンサ」と言う。）１１１上に結象する。ＣＣＤセンサ１１１は、原稿面からの反射光を、Ｒ（レッド）、Ｇ（グリーン）、Ｂ（ブルー）の各色成分ごとのアナログ信号に変換し、当該アナログ信号は、画像信号処理部３００の後述する処理によって、シアン、マゼンタ、イエロー、ブラックの各色成分のデジタルデータに変換され、当該デジタルデータ（画像データ）は、プリンタ部２００内の画像メモリ（不図示）に格納される。
【００１０】
画像メモリ内の画像データは、同じくプリンタ部２００に備えられたレーザ制御部２０１に入力される。レーザ制御部２０１は当該画像データに基づいてレーザダイオード駆動信号を生成し、レーザダイオード２０２を発光させる。レーザダイオード２０２が射出したレーザ光は、ポリゴンミラー２０３によって偏向されｆθレンズ２０４を通過した後、折り返しミラー２０５、２０６によって光路変更されて、矢印Ｂの向きに回転する感光体ドラム２０７表面（感光面）を露光走査する。
【００１１】
感光体ドラム２０７の周囲には、イレーサランプ２０８、帯電チャージャ２０９、シアン、マゼンタ、イエロー、ブラックの各色別のトナー現像器２１０〜２１３および転写チャージャ２１４が配されており、当該感光体ドラム２０７は、上記露光走査を受ける前に、イレーサランプ２０８による照射を受けて除電された後、帯電チャージャ２０９によって一様に帯電される。一様に帯電された感光面が露光されると、静電潜像が形成され、当該静電潜像は、上記いずれかのトナー現像器によってトナー像として顕像化される。
【００１２】
一方、給紙カセット２１５〜２１７のいずれかからは、所望サイズの記録シートが給紙され、給紙された記録シートは、静電吸着チャージャ２１８の作用を受け、矢印Ｃの向きに回転する転写ドラム２１９に巻き付き（張り付き）、転写チャージャ２１４に臨む転写位置へと搬送され、当該転写チャージャ２１４の作用により感光体ドラム２０７上のトナー像が記録シートへと転写される。
【００１３】
以上の露光〜転写のプロセスが、シアン、マゼンタ、イエロー、ブラックの各色別に単一の記録シートに対して繰り返され、各色のトナー像が重ね合わされてカラー画像が再現される。
４色分のトナー像が転写された記録シートは、分離除電チャージャ２２０により、転写ドラム２１９への吸着力が解かれて、当該転写ドラム２１９から離脱し、定着装置２２１によって、トナー像の定着がなされた後、トレイ２２２に排出される。
【００１４】
なお、白黒の画像を再現する際（モノクロコピー）には、ブラックについてだけ、上記露光〜転写のプロセスが行なわれる。
図２は、画像信号処理部３００のブロック図である。
前記ＣＣＤセンサ１１１の光電変換によって得られたアナログ信号は、Ａ／Ｄ変換部３１０で、Ｒ，Ｇ，Ｂの多値デジタル画像データに変換される。当該画像データは、シェーディング補正部３２０で、ＣＣＤセンサ１１１における画素間の濃度ムラおよび露光ランプ１０５の配光ムラ等によって生じる読取りバラツキが解消するように補正された後、ライン間補正部３３０に入力される。
【００１５】
ＣＣＤセンサ１１１においてＲ，Ｇ，Ｂの各チップによる原稿の読取り位置は、Ｒを先頭にしてＧ，Ｂの順に副走査方向に所定の間隔でズレている。このため、ライン間補正部３３０では、画像データの内、Ｒ，Ｇに対するデータ（以下、ＲＧＢ画像データの各成分を単に「Ｒデータ」，「Ｇデータ」，「Ｂデータ」と記す。）をＦＩＦＯメモリ（不図示）に格納して、所定時間だけ遅延させることにより、ＲデータとＧデータの出力タイミングをＢデータの出力タイミングに合わせている。
【００１６】
ライン間補正部３３０から出力されたＲＧＢ画像データは、Ｌ*ａ*ｂ*変換部３４０で、Ｌ*（明度指数）ならびにａ*およびｂ*（クロマティクネス指数）に表色系変換され、変換後のＬ*ａ*ｂ*画像データはＡＥ処理部３５０に入力される。
ＡＥ処理部３５０は、入力されたＬ*ａ*ｂ*画像データから、読み取られた原稿がモノクロ原稿なのかカラー原稿なのかを判定し、それぞれにあった下地調整を行って、原稿の裏写り、下地かぶりを防止する。
【００１７】
下地調整されたＬ*ａ*ｂ*画像データは、逆Ｌ*ａ*ｂ*変換部で再びＲＧＢ画像データに変換されて、ＬＯＧ補正部３７０Ａ・色補正処理部３７０Ｂに入力される。
ＬＯＧ補正部３７０Ａは、入力された輝度データであるＲＧＢ画像データをトナー色に対応するＹ（イエロー），Ｍ（マゼンタ），Ｃ（シアン）の濃度データへ変換する一方、色補正処理部３７０Ｂは、当該濃度データから下色除去処理やマスキング処理によってＫ（ブラック）の濃度データを生成する。
【００１８】
濃度データであるＣＭＹＫ画像データは、ＭＴＦ補正処理部３８０で、後述するエッジ強調処理が施された上で、プリンタ部２００へ出力される。
一方、ＡＥ処理部３５０から出力されるＬ*ａ*ｂ*画像データの内、Ｌ*（明度指数）データは、領域判別部３９０にも入力される。当該領域判別部３９０は、入力されたＬ*データに基づいて、対応する画素がエッジ部のものか濃度平坦部のものかを判別する。
【００１９】
図３（ａ）は、領域判別部３９０のブロック図である。
ＡＥ処理部３５０からのＬ*データは、エッジ検出フィルタ部３９１に入力される。エッジ検出フィルタ部３９１は、図３（ｂ）に示すように、主走査方向と副走査方向にそれぞれ対応して、３×３のエッジ検出用の一次微分フィルタ３９１１，３９１２を有し、これらによるＬ*データの主走査方向の一次微分結果Ｌｍと、副走査方向の一次微分結果Ｌｓとを、平坦部／エッジ部判別部３９２に出力する。
【００２０】
平坦部／エッジ部判別部３９２は、上記一次微分結果Ｌｍ，Ｌｓに基づいて、当該画素が濃度平坦部のものであるかエッジ部のものであるかを判定する。すなわち、当該一次微分結果Ｌｍ，Ｌｓの各絶対値の平均値Ｌａ〔Ｌａ＝（｜Ｌｍ｜＋｜Ｌｓ｜）／２〕を求めて、このＬａの値と所定の閾値Ｌthとを比較し。Ｌａ＜Ｌthの場合には、濃度平坦部であると判断し、Ｌａ≧Ｌthの場合には、エッジ部であると判断する。
【００２１】
このようにするのは、一般的に濃度平坦部とエッジ部の境界部においては明度の変化が大きく、当該明度（指数）の一次微分値が所定値以上の場合にエッジ部であると判断できるからである。また、主走査方向と副走査方向といった２方向の一次微分値を求めて判断するのは、エッジ判別の確実性を高めるためである。以上のようにして、平坦部／エッジ判別部３９２は、入力された画像データについて、濃度平坦部かエッジ部かを判別して、その結果をエッジ（Ｅｄｇｅ）信号（平坦部の場合はオフ信号、エッジ部の場合はオン信号）として、後段のＭＴＦ補正処理部３８０へ出力する。
【００２２】
図４は、ＭＴＦ補正部３８０の中のエッジ強調処理部のブロック図である。
本図に示すように、エッジ強調処理部は、強調量演算部３８１、強調量増加部３８３および濃度増量部３８５を有し、これら各部の後段には、それぞれに対応してセレクタ３８２，３８４，３８６が設けられている。セレクタ３８４とセレクタ３８６の出力側は加算器３８７に接続されている。
【００２３】
強調量演算部３８１は、色補正処理部３７０Ｂから入力される各画素の濃度データ「Ｄ」のそれぞれにつき、図５（ａ）に示すような５×５の強調量抽出フィルタ３８１０を用いて、強調量を抽出する。なお、以下、記号「Ｄ」は、画素および当該画素の濃度を表す記号として用いる。強調量演算部３８１は、注目画素を上記フィルタの中央の画素Ｄ33とした場合に、Ｄ33から上下左右（副走査方向、主走査方向）に２行２列離れた４隅に位置する画素Ｄ11，Ｄ15，Ｄ51，Ｄ55から下記の演算式によって、当該注目画素Ｄ33に対する強調量ΔＤ33を算出する。
【００２４】
ΔＤ33＝｜Ｄ33−ＩＮＴ｛（Ｄ11＋Ｄ55＋Ｄ15＋Ｄ51）／４｝｜
ただし、ＩＮＴ｛  ｝：｛  ｝内の演算結果の整数部。
すなわち、注目画素Ｄ33から上下左右（副走査方向、主走査方向）に２行２列離れたところに位置する４個の画素Ｄ11，Ｄ15，Ｄ51，Ｄ55の平均濃度と注目画素Ｄ33との差の絶対値を当該注目画素Ｄ33に対する強調量ΔＤ33とするのである。
【００２５】
演算結果は、セレクタ３８２の一方の入力端子Ｂに入力される。もう一方の入力端子Ａには、常に「０」が入力され、セレクタ３８２は、前記領域判別部３００から入力されるエッジ信号に基づき、「０」または強調量ΔＤ33を選択して出力端子Ｙから出力する。すなわち、強調量ΔＤ33に対応する注目画素Ｄ33に対するエッジ信号が、オン信号の場合は当該強調量ΔＤ33を出力し、オフ信号の場合は「０」を出力する。このようにするのは、強調量はエッジ画素にしか必要ではなく、また、後段の強調量増加部３８３においては、エッジ画素の強調量だけを用いることとしたためである。
【００２６】
強調量増加部３８３は、セレクタ３８２から入力される強調量のそれぞれにつき、図５（ｂ）に示すような３×３のＭＡＸフィルタ３８３０を用い、必要に応じて、強調量を増量する。すなわち、注目画素Ｄ33に対する強調量ΔＤ33を中心として、上下左右（副走査方向、主走査方向）に１行１列の範囲にある強調量の内、最大の強調量を見出し、強調量ΔＤ33を当該最大値と置き換えるのである。この処理によれば、とりもなおさず、３×３画素の範囲にある画素の最大の強調量と当該注目画素の強調量との差分だけ、当該注目画素の強調量を増量させることとなる。したがって、当該処理を各強調量に施して得られる増量後の強調量は、全体として、増量前の強調量よりもバラツキが小さく抑えられたものとなる。
【００２７】
なお、注目画素に対する強調量が、上記３×３画素の範囲中の最大値であった場合には、当該が最大値が採用され、強調量は増量されることなく現状維持となる。上記強調量増加部３８３の説明で、「必要に応じて、…増量する」としたのはこのことを意味するものである。
強調量増加部３８３を経た強調量は、セレクタ３８４の一方の入力端子Ｂに入力される。もう一方の入力端子Ａには、常に「０」が入力され、セレクタ３８４は、前記セレクタ３８２と同様に、前記領域判別部３００から入力されるエッジ信号に基づき、「０」または増量処理済みの強調量ΔＤ33を選択して出力端子Ｙから出力する。すなわち、増量後の強調量Ｄ33に対応する注目画素Ｄ33に対するエッジ信号が、オン信号の場合は当該増量後の強調量Ｄ33を出力し、オフ信号の場合は「０」を出力する。このようにするのは、当該エッジ強調処理部においては、エッジ画素に対してだけ強調処理（濃度増量）を施すからである。
【００２８】
一方、色補正処理部３７０Ｂから出力される各画素の濃度データ「Ｄ」は、濃度増量部３８５にも入力され、ここで、各画素の濃度の増量処理が実行される。濃度増量部３８５は、図５（ｃ）に示すような３×３のＭＡＸフィルタ３８５０を用い、前記強調量増強部３８５と同様の手法で、必要に応じて、各画素の濃度を増量する。すなわち、注目画素Ｄ33を中心として、上下左右（副走査方向、主走査方向）に１行１列の範囲にある濃度の内、最大のものを、注目画素Ｄ33の増量後の濃度とする（注目画素Ｄ33の濃度を当該最大の濃度に置き換える）のである。なお、当該処理による効果などは、上述した強調量増加部３８３におけるものと同様なので、その説明については省略する。以下、増量後の濃度（現状維持の場合も含めて）を「補正濃度」と言う。
【００２９】
補正濃度は、セレクタ３８６の一方の入力端子Ｂに入力される。もう一方の入力端子Ａには、増量されていない元の濃度（以下、「元濃度」と言う。）が入力され、セレクタ３８６は、前記領域判別部３００から入力されるエッジ信号に基づき、元濃度または補正濃度を選択して出力端子Ｙから出力する。すなわち、入力された補正濃度に対応する注目画素Ｄ33に対するエッジ信号が、オン信号の場合は当該補正濃度を出力し、オフ信号の場合は元濃度を出力する。
【００３０】
同一の注目画素に対する、セレクタ３８４とセレクタ３８６の出力結果は、加算器３８７に入力される。加算器３８７は、入力された値を加算して出力する。その結果、色補正処理部３７０Ｂから当該エッジ強調処理部に入力される画素の濃度の内、エッジ画素の濃度については、補正濃度に増加後の強調量が加えられたもの（以下、「強調濃度」と言う。）に変更されて出力され、エッジ画素以外の画素の濃度については、変更されることなく元濃度が出力されることとなる。
【００３１】
以上説明したように、本実施の形態によれば、エッジ部の濃度ムラが全体的に減少するように各エッジ画素の濃度が増量される一方、各エッジ画素について演算された強調量についても全体的にムラが少なくなるように増加され、増量後の濃度（補正濃度）に増加後の強調量が加えられて強調後のエッジ画素濃度（強調濃度）とされるので、当該強調濃度は、〔従来の技術〕欄で記載した第１の従来技術および第２の従来技術よりも、さらに、ムラが低減されたものとなる。
【００３２】
なお、ＭＴＦ補正部３８０は、上述したエッジ強調処理の他に、スムージング処理なども行うのであるが、それらは、本発明の主眼ではないので、その説明については省略する。
次に、上記実施の形態によるエッジ強調処理の具体例を示すと共に、従来技術の考え方を本実施の形態の一部の構成を用いて実施した場合の例と当該具体例とを比較することとする。
【００３３】
図６は、色補正処理部３７０Ｂから出力される濃度データの一部を示す図である。本図およびこれ以降の図７〜図１１において、最小の一桝が画素単位であり、各桝目の数値は濃度または強調量を表している。数値が大きいほど高い濃度であり大きい強調量である。また、薄く網掛けされている領域はエッジ部である。図６〜図１１は、それぞれ画像データの中の同じ領域を示しており、同じ位置の桝目には、同一の画素に関する数値が記入されている。
【００３４】
強調量演算部３８１は、図６において、例えば、○で囲んだ画素を注目画素とした場合に、当該注目画素と△で囲んだ４個の画素とから、前記した演算式を用いて以下のように強調量を算出する。
強調量＝｜６０−ＩＮＴ｛（０＋１００＋０＋１００）／４｝｜＝１０
強調量演算部３８１は、右方向（主走査方向）に順次、注目画素をシフトさせ、各画素について、強調量を演算する。
【００３５】
図７は、強調量演算部３８１の後段に設けられたセレクタ３８２から出力される強調量の一部を示す図である。エッジ部以外の強調量が「０」となっているのは、前述したようにセレクタ３８２の処理によるものである。
強調量増加部３８３は、図７において、例えば、○で囲んだ強調量を注目画素の強調量とした場合に、当該強調量を中心に太枠で囲んだ３×３桝の領域内において最大の強調量である「４０」を、当該注目画素に対する増加後の強調量とする。強調量増加部３８３は、右方向（主走査方向）に順次、注目画素（注目強調量）をシフトさせ、強調量を増加する。
【００３６】
図８は、強調量増加部３８３の後段に設けられたセレクタ３８４から出力され、加算器３８７に入力される増加後の強調量の一部を示す図である。
一方、濃度増量部３８５は、図６に示す各画素の濃度を増量処理させる。例えば、○で囲んだ画素を注目画素とした場合に、当該注目画素を中心に太枠で囲んだ３×３桝の領域内において最高の濃度である「９０」を、当該注目画素に対する増量後の濃度（補正濃度）とする。濃度増量部３８５も、右方向（主走査方向）に順次、注目画素をシフトさせ、各画素について、濃度を増量させる。
【００３７】
図９は、濃度増量部３８５の後段に設けられたセレクタ３８６から出力され、加算器３８７に入力される濃度の一部を示す図である。なお、エッジ部以外の画素の濃度に関し、図６に示すものから変化していないのは、前述したようにセレクタ３８６の処理によるものである。
加算器３８７は、セレクタ３８４とセレクタ３８６からの入力値を加算して出力する。すなわち、図９に示す濃度に図８に示す強調量を加えて出力する。
【００３８】
加算器３８７からの出力結果の一部を図１０に示す。本図と図６との比較からわかるように、エッジ部のみに強調処理が施されていることがわかる。ここで、エッジ部における濃度の最大値と最小値との差を濃度ムラの程度を表すバラツキ度と呼ぶこととする。図１０に示すエッジ部のバラツキ度は４０（＝１５０−１１０）である。
【００３９】
次に、上述した第１の従来技術の思想に基づいてエッジ強調した場合の比較例１を示す。第１の従来技術は、既述したように、各画素ごとに濃度強調量を演算し、当該演算結果と各画素の元濃度とを加算して強調後の濃度とするものであった。すなわち、本実施の形態の構成を用いれば、図６に示す濃度に図７に示す強調量を加算することとなる。加算結果を図１１（ａ）に示す。本図に示すように、エッジ部の最低濃度は「５０」、最高濃度は「１５０」であり、比較例１におけるエッジ部のバラツキ度は１００となる。
【００４０】
さらに、第２の従来技術の思想に基づいてエッジ強調した場合の比較例２を示す。第２の従来技術は、既述したように、第１の従来技術と同様、各画素ごとに濃度強調量を演算する一方、エッジ部の濃度のバラツキが少なくなるように各画素の濃度を増量した上で、増量後の濃度と演算結果の濃度強調量とを加算して強調後の濃度とするものであった。すなわち、本実施の形態の構成を用いれば、図９に示す濃度に図７に示す強調量を加算することとなる。加算結果を図１１（ｂ）に示す。本図に示すように、エッジ部の最低濃度は「９０」、最高濃度は「１５０」であり。比較例２におけるエッジ部のバラツキ度は６０となる。
【００４１】
以上の結果から明らかなように、本実施の形態によるエッジ部のバラツキ度は４０であり、バラツキ度が１００の比較例１はもちろんのこと、バラツキ度が６０の比較例２よりもさらに、バラツキ度すなわち濃度ムラが改善されていることとなる。
【００４２】
【発明の効果】
以上説明したように、本発明に係る画像処理装置によれば、各エッジ画素の濃度が、当該エッジ画素を含み所定範囲の周辺画素の濃度の内の最大の濃度に置換されて増量される一方、各エッジ画素について演算された濃度強調量についても、当該エッジ画素を含み所定範囲の周辺エッジ画素に対する濃度強調量の内の最大の濃度強調量に置換されて増加され、増量後の濃度に増加後の濃度強調量が加えられて強調後のエッジ画素の濃度とされるので、従来技術よりも、さらにエッジ部の濃度ムラを低減されることができる。
【００４３】
また、本発明に係る画像形成装置によれば、上記画像処理装置によってエッジ強調処理の施された画像データに基づいて画像が形成されるので、エッジ部に濃度ムラの少ない画像を得ることができる。
【図面の簡単な説明】
【図１】デジタル式カラー複写機全体の概略構成を示す図である。
【図２】画像信号処理部のブロック図である。
【図３】（ａ）は、上記画像信号処理部内の領域判別部のブロック図である。
（ｂ）は、上記領域判別部で用いられるエッジ検出用一次微分フィルタを示す図である。
【図４】上記画像信号処理部内におけるＭＴＦ補正部の中のエッジ強調処理部のブロック図である。
【図５】（ａ）は、上記エッジ強調処理部の強調量演算部で用いられる強調量抽出フィルタを示す図である。
（ｂ）は、上記エッジ強調処理部の強調量増加部で用いられるＭＡＸフィルタを示す図である。
（ｃ）は、上記エッジ強調処理部の濃度増量部で用いられるＭＡＸフィルタを示す図である。
【図６】上記エッジ強調処理部に入力される画像データの一部を示す図である。
【図７】上記一部の画像データに基づく、強調量の演算結果を示す図である。
【図８】上記強調量を増加処理した結果を示す図である。
【図９】上記一部の画像データの濃度を増量処理した結果を示す図である。
【図１０】上記一部の画像データにエッジ強調処理を施した結果を示す図である。
【図１１】（ａ）は、上記一部の画像データに、第１の従来技術の考えに基づいてエッジ強調処理を施した結果（比較例１）を示す図である。
（ｂ）は、上記一部の画像データに、第２の従来技術の考えに基づいてエッジ強調処理を施した結果（比較例２）を示す図である。
【符号の説明】
３８１    強調量演算部
３８２，３８４、３８６    セレクタ
３８３    強調量増量部
３８５    濃度増量部
３８７    加算器
３８３０    ＭＡＸフィルタ
【図１】
0004085584.tif 000002
【図２】
0004085584.tif 000003
【図３】
0004085584.tif 000004
【図４】
0004085584.tif 000005
【図５】
0004085584.tif 000006
【図６】
0004085584.tif 000007
【図７】
0004085584.tif 000008
【図８】
0004085584.tif 000009
【図９】
0004085584.tif 000010
【図１０】
0004085584.tif 000011
【図１１】
0004085584.tif 000012